(57)【要約】【課題】電子レンジで収納した食品を加熱調理する際に、袋の一部を事前に切除することを不要とし、かつ加熱調理中に溶出した余分の水分或は油分を自動的に吸収するようにした包装袋を目的とする。【解決手段】透明プラスチック袋２の裏側内周壁に不織布３を積層し、透明プラスチック袋２の開口部内壁に補強テープ４を設け、かつ該開口部の片側内壁に、凹凸連続線５を設け、該開口部の他側内壁に粘着材６を塗着した包装袋１の構造である。【選択図】　　　　図１
2004067148.tif 000002
【特許請求の範囲】
【請求項１】
電子レンジで加熱調理する食品を収納し得る袋に於て、該袋の内周面に不織布が積層されており、かつ開口部の内側面横方向に凹凸が連続して設けられて構成されることを特徴とした包装袋。
【請求項２】
前記包装袋の開口部の内側面に補強テープが設けられると共に粘着材が塗着されて構成されていることを特徴とした請求項１の包装袋。
【発明の詳細な説明】
【０００１】
【発明の属する技術分野】
本発明は、加熱調理を必要とする枝豆、じゃがいも等の野菜類、フライドポテト等の冷凍食品、ソーセージ等のチルド食品等の食品を収納し得る包装袋に係り、特に加熱調理中に袋内に溶出する余分の水分や油分を自動的に吸収し、かつ袋を開封せずにそのまま調理することが出来る包装袋に関するものである。
【０００２】
【従来の技術】
最近になって、電子レンジが普及するに従って、手間をかけずに簡単に調理し得る食品がプラスチック製の調理用袋に充填され、一般的に販売されるようになって来た。
【０００３】
【発明が解決しようとする課題】
しかし、従来一般的に使用されていた前述の野菜類、冷凍食品或はチルド食品を収納した加熱調理用袋は、電子レンジで調理する以前に袋の一部を事前に開封しなければならず、そのために鋏等が必要であり、かつ手間を要していた。
【０００４】
また、食品を袋の中に収納したまま、電子レンジで加熱調理した場合には、調理中に食品の中から溶出する水分や油分が食品の周りに付着し、加熱食品の品質を著しく阻害する問題があった。
【０００５】
本発明に係る包装袋は、前述の従来の多くの問題点に鑑み開発された全く新しい技術であって、特に袋の内周面に布織布を設けることによって、加熱調理中に溶出する余分の水分或は油分を自動的に吸収し、かつ開口部の内側面に連続した凹凸を設けることによって、該開口部を閉じた状態のまま加熱調理しても、袋内に充満する蒸気を設連続した凹凸部より外方に排出することが出来るようにした袋の技術を提供するものである。
【０００６】
【課題を解決するための手段】
本発明に係る包装袋は前述の従来の問題点を根本的に改善した全く新しい技術であって、その第１発明の要旨は、電子レンジで加熱調理する食品を収納し得る袋に於て、該袋の内周面に不織布が積層されており、かつ開口部の内側面横方向に凹凸が連続して設けられて構成されることを特徴とした包装袋である。
【０００７】
前述の第１発明に係る包装袋に於ては、袋の内周面に不織布を積層したので、電子レンジで加熱調理中に袋内に溶出される食品の余分の水分や油分を該不織布で自動的に吸収することが出来る。従って、不要な水分や油分が食品の周りに付着して、調理食品の品質を阻害することを防止出来る。
【０００８】
また、本発明に係る包装袋の開口部内側面には、横方向に凹凸が連続して設けられているので、開口部を閉鎖した際にも、該凹凸の凹部が貼着されないので、この凹部が袋内と袋外とを連通させることが出来る。従って、電子レンジで加熱調理する前に袋の一部を切断する必要がない。また、生野菜等を収納した場合には、袋内に空気を供給し、生野菜を新鮮に保つことが出来る。
【０００９】
本発明に係る包装袋の第２発明の要旨は、前記包装袋の開口部の内側面に補強テープが設けられると共に粘着材が塗着されて構成されていることを特徴とした第１発明の包装袋である。
【００１０】
前述の第２発明に於ては、包装袋の開口部の内側面に補強テープを設けたので、開口部を補強すると共に、開口部の壁面を厚くして腰を強くしたので、袋の開閉を容易にすることが出来る。また、この補強テープを着色テープにした場合には、開口部を明確に表示することが出来る。
【００１１】
さらに、包装袋の開口部に粘着材が塗着されているので、包装袋の開口部はこの粘着材によって簡単に閉じることが出来る。従って、包装袋に食品を収納した後で開口部をヒートシール等によって閉鎖する必要がない。また、粘着材を塗着した部分には、離形テープを貼着しておくことによって、粘着材が対応する開口部の壁面に粘着されることを防止し、包装袋を閉じる際には、この離形テープを剥離することによって、開口部を閉じることが出来る。
【００１２】
【発明の実施の形態】
図により本発明に係る包装袋の一実施例を具体的に説明すると、図１は本発明に係る包装袋の斜視説明図、図２は図１の包装袋の縦断面図、図３は図１の包装袋の開口部の閉鎖状態を示す断面拡大説明図、図４は図１の包装袋に食品を収納した状態の説明図である。
【００１３】
図１乃至図４に於て、１は本発明に係る包装袋であって、透明プラスチック袋２の裏側内周面には不織布３が全面的に積層されている。
【００１４】
透明プラスチック袋２の開口部の両内側面には、所定の着色が施された補強テープ４が夫々積層されている。また、透明プラスチック袋２の開口部の裏内側面には、所定の深さと高さとを持った凹凸を水平方向に連続させた凹凸連続線５が設けられている。
【００１５】
かつ、透明プラスチック袋２の開口部の表内側面には、所定巾の粘着材６が塗着されている。さらに、この粘着材６の表面には、離形テープ７が貼着されている。この離形テープ７の上縁は透明プラスチック袋２の開口部より上方向に露出している。
【００１６】
本発明に係る包装袋１内に野菜等の食品８を収納する場合には、包装袋１内に食品８を充填し、その開口部に露出された離形テープ７を開口部より除去することによって、粘着材６を対応する開口部内側面に粘着させることによって、開口部を閉鎖することが出来る。
【００１７】
該開口部の片内側面には、前述のような所定の深さと高さとを有する凹凸連続線５が設けられているので、凹部の作用で閉鎖した開口部に蒸気排出用の、或は収納野菜が呼吸し得る複数の小孔を自動的に設けることが出来る。
【００１８】
前述のように、透明プラスチック袋２の開口部に補強テープ４を設けた場合には、開口部の強度と腰を強くすることが出来る。また、着色した補強テープ４を使用した場合には、開口部の位置を明示し、食品８の収納及び取出しを容易にすることが出来る。
【００１９】
本発明に於ては、透明プラスチック袋２の裏側内壁面に不織布３を積層したので、透明プラスチック袋２の裏側はそのまま透明に保って、収納食品８を外側から見えるようにすることが出来る。本発明の包装袋１は、不織布３を袋内に設けたので、電子レンジで加熱調理中に食品８から溶出する余分な水分及び油分をこの不織布３で吸収することが出来る。
【００２０】
従って、余分な水分や油分が食品８の周りに付着して品質を阻害することを防止出来る。この不織布３は必要に応じて、透明プラスチック袋２の全面に、或は部分的に取付けることも可能である。
【００２１】
【発明の効果】
本発明に係る包装袋に於ては、袋の内周面に不織布を積層したので、電子レンジで加熱調理中に袋内に溶出される食品の余分の水分や油分を該不織布で自動的に吸収することが出来る効果を有している。従って、不要な水分や油分が食品の周りに付着して、調理食品の品質を阻害することを防止出来る効果を有する。
【００２２】
また、本発明に係る包装袋の開口部内側面には、横方向に凹凸が連続して設けられているので、開口部を閉鎖した際にも、該凹凸の凹部が袋内と袋外とを連通させることが出来る効果を有している。従って、電子レンジで加熱調理する前に袋の一部を切断する必要がない。また、生野菜等を収納した場合には、袋内に空気を供給し、生野菜を新鮮に保つことが出来る効果も有する。
【００２３】
包装袋の開口部の内側面に補強テープを設けた場合には、開口部を補強すると共に、開口部の壁面を厚くして腰を強くすることが出来、これによって、袋の開閉を容易にすることが出来る効果を有している。また、この補強テープを着色テープにした場合は、開口部を明確に表示することが出来る効果も有する。
【００２４】
さらに、包装袋の開口部に粘着材を塗着した場合には、包装袋の開口部はこの粘着材によって簡単に閉じることが出来る効果がある。従って、包装袋に食品を収納した後で開口部をヒートシール等によって閉鎖する必要がない。また、粘着材を塗着した部分には、離形テープを貼着しておくことによって、粘着材が対応する開口部の壁面に粘着されることを防止し、包装袋を閉じる際には、この離形テープを剥離することによって、開口部を閉じることが出来る効果も有している。
【図面の簡単な説明】
【図１】本発明に係る包装袋の斜視説明図である。
【図２】図１の包装袋の縦断面図である。
【図３】図１の包装袋の開口部の閉鎖状態を示す断面拡大説明図である。
【図４】図１の包装袋に食品を収納した状態の説明図である。
【符号の説明】
１　　　包装袋
２　　　透明プラスチック袋
３　　　不織布
４　　　補強テープ
５　　　凹凸連続線
６　　　粘着材
７　　　離形テープ
８　　　食品
【図１】
2004067148.tif 000003
【図２】
2004067148.tif 000004
【図３】
2004067148.tif 000005
【図４】
2004067148.tif 000006
【手続補正書】
【提出日】平成14年8月9日(2002.8.9)
【手続補正１】
【補正対象書類名】明細書
【補正対象項目名】０００５
【補正方法】変更
【補正の内容】
【０００５】
本発明に係る包装袋は、前述の従来の多くの問題点に鑑み開発された全く新しい技術であって、特に袋の内周面に不織布を設けることによって、加熱調理中に溶出する余分の水分或は油分を自動的に吸収し、かつ開口部の内側面に連続した凹凸を設けることによって、該開口部を閉じた状態のまま加熱調理しても、袋内に充満する蒸気を設連続した凹凸部より外方に排出することが出来るようにした袋の技術を提供するものである。